(57)【要約】      （修正有）【課題】発光色の異なる複数の光源を用いて、高品位な白色光を生成する薄型可能なバックライトユニット、およびそれを含む液晶表示装置を提供する。【解決手段】底面２１Ｂに対して側面２１Ｓを斜面にした出射面を持つ、四角錐状のような錐体部分を含む導光体２１において、底面２１Ｂにて散らばる箇所に対応して位置する発光色の異なる複数のＬＥＤ１１から入射した光を導光体２１内で全反射等により混色させて出射するようにした。【選択図】図１
2010003598.tif 000002
【特許請求の範囲】
【請求項１】
複数の光源の集まった光源群と、
上記光源からの光を受ける受光面、および、内部で多重反射させた後に光を出射させ
る出射面を有する導光体の集まった導光ユニットと、
を含み、
上記光源群は、異なる色を発する上記光源を含んでおり、
上記導光体は、上記受光面を底面とするとともに上記出射面を斜面とする錐体部分を含むバックライトユニット。
【請求項２】
上記光源は発光素子であり、
上記光源群は、赤色光を発する赤色発光素子、緑色光を発する緑色発光素子、および、青色光を発する青色発光素子を少なくとも含む請求項１に記載のバックライトユニット。
【請求項３】
上記発光素子は、上記受光面の隅に光を供給する請求項２に記載のバックライトユニット。
【請求項４】
上記受光面が、多角形状である請求項３に記載のバックライトユニット。
【請求項５】
上記導光体は、上記受光面を四角形状とする四角錐状の錐体部分を含む請求項４に記載のバックライトユニット。
【請求項６】
上記四角形状の受光面の隅毎に、１個の上記発光素子からの光が供給されることで、１個の上記導光体に対して４個の上記発光素子が対応し、
４個の上記発光素子は、１個の上記赤色発光素子、２個の上記緑色発光素子、１個の上記青色発光素子である請求項５に記載のバックライトユニット。
【請求項７】
上記導光体は、上記受光面を三角形状とする三角錐状の錐体部分を含む請求項４に記載のバックライトユニット。
【請求項８】
上記三角形状の受光面の隅毎に、１個の上記発光素子からの光が供給されることで、１個の上記導光体に対して３個の上記発光素子が対応し、
３個の上記発光素子は、１個の上記赤色発光素子、１個の上記緑色発光素子、１個の上記青色発光素子である請求項７に記載のバックライトユニット。
【請求項９】
上記受光面にて、上記発光素子の面する部分以外の残部分には、光散乱加工が施される請求項３〜８のいずれか１項に記載のバックライトユニット。
【請求項１０】
上記導光体が、光散乱粒子を含む請求項１〜９のいずれか１項に記載のバックライトユニット。
【請求項１１】
請求項１〜１０のいずれか１項に記載のバックライトユニットと、
上記バックライトユニットからの光を受光する液晶表示パネルと、
を含む液晶表示装置。
【発明の詳細な説明】
【技術分野】
【０００１】
本発明は、液晶表示パネルのような非発光型表示パネルに光を供給するバックライトユニット、およびそれを備える液晶表示装置に関する。
【背景技術】
【０００２】
従来から液晶表示装置の液晶表示パネル（非発光型表示パネル）に光を供給するバックライトユニットは種々開発されている。そして、バックライトユニットでは、光を発する光源｛例えば、蛍光管およびＬＥＤ（Light Emitting Diode）｝と、その光源からの光を受光し、内部で多重反射させて面状の光に変換する導光体とを含むことが多い。
【０００３】
例えば、特許文献１では、板状の導光体の背面に赤色（ＲＥＤ）発光のＬＥＤ、緑色（ＧＲＥＥＮ）発光のＬＥＤ、および青色（ＢＬＵＥ）発光のＬＥＤを位置させることで、それらＬＥＤの光を導光体内部にて混色させ、白色を生成させるバックライトユニットが開示される。そして、このようなバックライトユニットは、導光体の側面ではなく背面にＬＥＤが位置することから、直下型バックライトユニットと称される。
【特許文献１】特開２００８−１０３２００号公報（段落[００２８]参照）
【発明の開示】
【発明が解決しようとする課題】
【０００４】
ただし、このようなバックライトユニットでは、以下のような問題が生じる。すなわち、このバックライトユニットでは、板状の導光体の背面に対してほぼ垂直方向に、ＬＥＤが光を出射するため、図１１（平面図と側面図とを併記した２面図）に示すように、ＬＥＤ１１１（１１１Ｒ・１１１Ｇ・１１１Ｂ；なお、ＲＧＢは色を示す。）の発する赤色光、緑色光、および青色光が完全に重なり合わず、高品位な白色光が生成されない。すなわち、バックライトユニットからの光に色ムラが生じる（なお、一点鎖線は赤色光、二点鎖線は緑色光、破線は青色光を示す）。
【０００５】
この問題を解決するには、特許文献１の段落[００２８]に記載のように、ＬＥＤ１１１同士が近づかなくてはならない。しかしながら、ＬＥＤ１１１が近づくには、限界がある。
【０００６】
また、ＬＥＤ１１１の光は発散しながら進行するので、より大きな光束幅ｐを生成し、光の重なり合う量を増加させることも考えられる。しかし、そのためには、ＬＥＤ１１１の出射方向先（図１１の白色矢印参照）に向かって比較的長い距離が必要になる。すると、そのような光を受光する導光体の厚みも厚くならざるを得ない。その結果、導光体が比較的厚くなり、ひいてはバックライトユニットの厚みも厚くなってしまう。
【０００７】
本発明は、上記の状況を鑑みてなされたものである。そして、本発明の目的は、高品位な白色光を生成する薄型なバックライトユニット、およびそれを含む液晶表示装置を提供することにある。
【課題を解決するための手段】
【０００８】
バックライトユニットは、複数の光源の集まった光源群と、光源からの光を受ける受光面、および、内部で多重反射させた後に光を出射させる出射面を有する導光体の集まった導光ユニットと、を含む。そして、このバックライトユニットでは、光源群は、異なる色を発する光源を含んでおり、導光体は、受光面を底面とするとともに出射面を斜面とする錐体部分を含む。
【０００９】
このようなバックライトユニットであると、導光体の底面から入射する光は、斜面にて反射され種々方向に進行する。その結果、光源の発光色が異なっていると、それらの光は高い度合いで混色しやすくなる。
【００１０】
その上、導光体が、一般的な直方体の導光体での側面を傾かせつつ三角形状にすることで錐体部分を形成しているならば、その錐体部分を含む導光体は、直方体の導光体に比べて、比較的薄くなる。そのため、このような導光体を搭載するバックライトユニットも比較的薄くなる。
【００１１】
なお、光源の一例としては、発光素子が挙げられる。そして、光源群は、赤色光を発する赤色発光素子、緑色光を発する緑色発光素子、および、青色光を発する青色発光素子を少なくとも含むと望ましい。このようになっていると、導光体内部にて、光が混色すると白色光が生成されるためである。
【００１２】
また、発光素子は、受光面の隅に光を供給することが望ましい。このようになっていると、受光面から入射した光が導光体の頂点に至るまでの距離は比較的長くなり、それに応じて、斜面に到達する光のうち、導光体の臨界角を超える入射角をもつ光が増加する。そのため、斜面にて全反射する光量が増加し、導光体内部にて、光が混合しやすくなる。
【００１３】
なお、導光体の形状は、光を受ける受光面を底面とする錐体部分を含む導光体であれば、種々の形状が考えられる。例えば、受光面が、多角形状である導光体である。
【００１４】
詳説すると、受光面を四角形状とする四角錐状の錐体部分を含む導光体が考えられる。なお、このような導光体の場合、四角形状の受光面の隅毎に、１個の上記発光素子からの光が供給されることで、１個の導光体に対して４個の上記発光素子が対応すると望ましい。そして、４個の発光素子は、１個の赤色発光素子、２個の緑色発光素子、１個の青色発光素子であると特に望ましい。
【００１５】
また、受光面を三角形状とする三角錐状の錐体部分を含む導光体であってもかまわない。なお、このような導光体の場合、三角形状の受光面の隅毎に、１個の上記発光素子からの光が供給されることで、１個の導光体に対して３個の上記発光素子が対応すると望ましい。そして、３個の発光素子は、１個の赤色発光素子、１個の緑色発光素子、１個の青色発光素子であると特に望ましい。
【００１６】
また、これらのような導光体における受光面にて、発光素子の面する部分以外の残部分には、光散乱加工が施されると望ましい。このようになっていると、導光体内部にて、より一層光が混合しやすくなるためである。
【００１７】
また、導光体が、光散乱粒子を含んでいてもよい。このようになっていても、導光体内部にて、より一層光が混合しやすくなるためである。
【００１８】
なお、以上のようなバックライトユニットと、そのバックライトユニットからの光を受光する液晶表示パネルと、を含む液晶表示装置も本発明といえる。
【発明の効果】
【００１９】
本発明によれば、錐体部分を含む導光体内部に入射した光は、導光体の側面である斜面にて反射進行することで、内部で行き交うことになる。そのため、互いに異なる光が導光体に入射すると、その光は混色して外部に進行する。したがって、導光体に入射する光が赤色、緑色、および青色の光であれば、混色度合いの比較的高い白色光が生成される。そのため、バックライトユニットからの光に色ムラが生じない。
【００２０】
その上、斜面を用いて光が拡散することから、斜面を含まない導光体（例えば、直方体の導光体）に比べて、導光体の厚みは比較的薄くなりやすい。そのため、このような導光体を搭載するバックライトユニットも比較的薄くなりやすい。
【発明を実施するための最良の形態】
【００２１】
［実施の形態１］
実施の一形態について、図面に基づいて説明すれば、以下の通りである。なお、便宜上、ハッチングや部材符号等を省略する場合もあるが、かかる場合、他の図面を参照するものとする。また、図面上での黒丸は紙面に対し垂直方向を意味する。
【００２２】
図９の分解斜視図および図１０の断面図は液晶表示装置６９を示す（なお、図１０の断面方向は、図９のＡ−Ａ’線矢視断面方向である）。これらの図に示すように、液晶表示装置６９は、液晶表示パネル４９、バックライトユニット５９、および、両ユニット４９・５９を挟み込むことで、それらを保持するベゼルＢＺ（表ベゼルＢＺ１・裏ベゼルＢＺ２）を含む。
【００２３】
なお、ベゼルＢＺの形状は、特に限定されるものではない。例えば、図９および図１０に示すように、裏ベゼルＢＺ２が液晶表示パネル４９とバックライトユニット５９とを収容する箱体で、表ベゼルＢＺ１が裏ベゼルＢＺ２に覆い被さる枠体であってもよい。
【００２４】
液晶表示パネル４９は、ＴＦＴ（Thin Film Transistor）等のスイッチング素子を含むアクティブマトリックス基板４１と、このアクティブマトリックス基板４１に対向する対向基板４２とをシール材（不図示）で貼り合わせる。そして、両基板４１・４２の隙間に液晶（不図示）が注入される（なお、アクティブマトリックス基板４１および対向基板４２を挟むように、偏光フィルム４３・４３が取り付けられる）。
【００２５】
バックライトユニット５９は、非発光型の液晶表示パネル４１に対して光を照射させる。つまり、液晶表示パネル４１は、バックライトユニット５９からの光（バックライト光）を受光することで表示機能を発揮する。そのため、バックライトユニット５９からの光が液晶表示パネル４９の全面を均一に照射できれば、液晶表示パネル４９の表示品位が向上する。
【００２６】
そして、このようなバックライトユニット５９は、ＬＥＤモジュールＭＪ、導光ユニットＵＴ、反射シート５４、拡散シート５５、および、光学シート５６・５７を含む。
【００２７】
ＬＥＤモジュールＭＪは光を発するモジュールであり、実装基板５１と、実装基板５１における実装面５１Ｕに形成された電極に実装されることで電流の供給を受け、光を発するＬＥＤ（Light Emitting Diode）１１と、を含む。
【００２８】
なお、ＬＥＤ（光源、発光素子）１１の発光面１１Ｌは実装面５１Ｕの面内方向と平行であり、光は実装面５１Ｕに対して交差する方向（例えば、垂直方向）に出射する。また、ＬＥＤモジュールＭＪは、光量確保のために、複数のＬＥＤ１１を含むと望ましい（なお、複数の集まったＬＥＤ１１をＬＥＤ群ＧＲとも称する）。ただし、図面では便宜上、一部のＬＥＤ１１のみが示されているにすぎない。
【００２９】
導光ユニットＵＴは、複数の導光体２１がマトリックス状に集まって群になったものであり、ＬＥＤ１１の並ぶ実装面５１Ｕを覆う。そして、導光体２１は、ＬＥＤ１１からの光を受け、その光を内部で多重反射（ミキシング）させた後に外部に出射させる（なお、この出射光を面状光と称する）。
【００３０】
なお、導光体２１の形状は、特に限定されるものではない。例えば、図９に示すように、四角錐状の部分を含む導光体２１が、マトリックス状に並列してもよい。詳説すると、導光体２１は、ＬＥＤ１１からの光を受ける四角形状の一面（受光面）を底面２１Ｂとし、この底面２１Ｂの縁につながる三角形状の４つの面（出射面）を斜面２１Ｓとする形状でもよい(詳細については後述)。
【００３１】
反射シート５４は、導光体２１によって覆われるように位置する。すなわち、実装基板５１にて、ＬＥＤ１１を除いた部分に位置する。そして、導光体２１の底面２１Ｂに面する反射シート５４の一面が反射面になる。そのため、この反射面が、ＬＥＤ１１からの光や導光体２１内部を伝搬する光を漏洩させることなく導光体２１（詳説すると、導光体２１の底面２１Ｂを通じて）に戻すように反射させる。
【００３２】
拡散シート５５は、導光ユニットＵＴの群がった斜面２１Ｓを覆うように位置し、導光体２１からの面状光を拡散させて、液晶表示パネル４９全域に光をいきわたらせている（なお、この拡散シート５５と光学シート５６・５７とを、まとめて光学シート群５８とも称する）。
【００３３】
光学シート５６は、例えばシート面内にプリズム形状を有し、光の指向性を狭くする光学シートであり、拡散シート５５を覆うように位置する。そのため、この光学シート５６は、拡散シート５５から進行してくる光を集光させ、輝度を向上させる。
【００３４】
光学シート５７は、光学シート５６を覆うように位置し、一方向の偏光成分を透過させるとともに、その透過する偏光成分に対して直交する偏光成分を反射させる光学シートである。そして、この光学シート５７は、偏光フィルム４３により吸収される偏光成分を反射再利用することにより、液晶パネル４９上の輝度を向上させる。
【００３５】
そして、以上の実装基板５１、反射シート５４、導光ユニットＵＴ、拡散シート５５、光学シート５６・５７は、この順で積み重なり、裏ベゼルＢＺ２に収容される。そこで、この積み重なる方向をＸ方向と称する。また、マトリックス状に並ぶ導光体２１にて、数多く並ぶ導光体２１の並び方向をＹ方向、数少なく並ぶ導光体２１の並び方向をＺ方向とする。
【００３６】
そして、以上のようなバックライトユニット５９では、ＬＥＤ１１からの光は導光体２１（ひいては導光ユニットＵＴ）によって面状光になって出射し、その面状光は光学シート群５８を通過することで発光輝度を高めたバックライト光になって出射する。そして、このバックライト光が液晶表示パネル４９に到達し、そのバックライト光によって、液晶表示パネル４９は画像を表示させる。
【００３７】
ここで、導光ユニットＵＴとＬＥＤモジュールＭＪとについて、図１〜図４を用いて詳説する（なお、図中のＲ・Ｇ・Ｂは、赤色・緑色・青色を示す）。図３は図９の部分拡大図であり、図４は導光ユニットＵＴにおける導光体２１の斜面２１Ｓ側（詳説すると頂点２１Ｔ側）からみた平面図である。
【００３８】
また、図１は、図３の一部を抽出して１個の導光体２１とその導光体２１に対応する４個のＬＥＤ１１を示す斜視図であり、図２は、１個の導光体２１の平面図とこの導光体２１における４個のＬＥＤ１１からの光を導光体２１の側面から示す光路図とを併記した図である（なお、一点鎖線矢印は赤色光を示し、２点鎖線矢印は緑色光を示し、破線矢印は青色光を示す）。
【００３９】
これらの図に示すように、導光体２１の形状は四角錐状である。そして、導光体２１における四角形状の底面２１Ｂの隅に対応して、種々の発光色のＬＥＤ１１が位置し、それらＬＥＤ１１は底面２１Ｂの隅に光を供給する。すると、ＬＥＤ１１からの光のほとんどは、導光体２１の底面２１Ｂを通じて斜面２１Ｓに向かって進む（なお、このように連なった導光体２１の底面２１Ｂから光が入射するバックライトユニット５９を直下方式のバックライトユニット５９と称する）。
【００４０】
そして、斜面２１Ｓに到達した光は、その斜面２１Ｓに対して一定の入射角をもって入射する。また、底面２１Ｂから進行し斜面２１Ｓに到達する光の一部は、斜面２１Ｓの傾く方向、すなわち、導光体２１の内部に向かって進行しやすい。すると、導光体２１の底面２１Ｂの四隅に対応する４個のＬＥＤ１１の光は、導光体２１の内部にて混ざりやすい。
【００４１】
そこで、この現象を利用すべく、底面２１Ｂの四隅に対応する４個のＬＥＤ１１のうち、１個は赤色光を発するＬＥＤ１１Ｒ、２個は緑色光を発するＬＥＤ１１Ｇ、１個は青色光を発するＬＥＤ１１Ｂとなる。特に、導光体２１の頂点２１Ｔを挟むようにして、ＬＥＤ１１ＲとＬＥＤ１１Ｂとが対向し、ＬＥＤ１１ＧとＬＥＤ１１Ｇとが対向する。
【００４２】
このようになっていると、図２に示すように例えば、Ｘ方向にてＬＥＤ１１Ｒに重なる２つの斜面２１Ｓａ・２１Ｓｂに沿って、ＬＥＤ１１Ｒの光は、そのＬＥＤ１１Ｒに隣り合う２つのＬＥＤ１１Ｇ・１１Ｇに向かうとともに、頂点２１Ｔにも向かう。同様に、Ｘ方向にてＬＥＤ１１Ｂに重なる２つの斜面２１Ｓｃ・２１ｄに沿って、ＬＥＤ１１Ｂの光は、そのＬＥＤ１１Ｂに隣り合う２つのＬＥＤ１１Ｇに向かうとともに、頂点２１Ｔにも向かう。
【００４３】
また、Ｘ方向にてＬＥＤ１１Ｇ（１１Ｇａ）に重なる２つの斜面２１Ｓｂ・２１Ｓｃに沿って、ＬＥＤ１１Ｇ（１１Ｇａ）の光は、そのＬＥＤ１１Ｇａに隣り合う２つのＬＥＤ１１Ｒ・ＬＥＤ１１Ｂに向かうとともに、頂点２１Ｔにも向かう。同様に、Ｘ方向にてＬＥＤ１１Ｇ（１１Ｇｂ）に重なる２つの斜面２１Ｓａ・２１Ｓｄに沿って、ＬＥＤ１１Ｇ（１１Ｇｂ）の光は、そのＬＥＤ１１Ｇｂに隣り合う２つのＬＥＤ１１Ｒ・ＬＥＤ１１Ｂに向かうとともに、頂点２１Ｔにも向かう。
【００４４】
つまり、四角錐状のような錐体部分を含む導光体２１では、底面２１Ｂにて散らばる箇所に対応してＬＥＤ１１が位置し、そのＬＥＤ１１からの光が底面（すなわち受光面）２１Ｂを通じて入射する。すると、その光は、斜面２１Ｓと底面２１Ｂとの間での多重反射および異なる斜面２１Ｓ同士の間での多重反射で、混ざり合う。
【００４５】
特に、ＬＥＤ１１の光は、斜面２１Ｓを用いて伝播することで、そのＬＥＤ１１を中心にして拡散することになる。そのため、この拡散する光が、３色（赤色、緑色、青色）の光であると、導光体２１の内部で比較的高い度合いで混色して白色光となり、外部に出射する（要は、高品位な白色光が生成される）。
【００４６】
その上、このようにして白色光を出射する導光体２１では、ＬＥＤ１１の光の拡散は、底面２１Ｂに対して傾斜する斜面２１Ｓを用いているために、導光体２１の厚みは比較的薄くてよい。
【００４７】
例えば、導光体２１が、一般的な直方体の導光体での側面を傾かせつつ三角形状にすることで錐体部分を形成しているならば、その錐体部分を含む導光体２１は、直方体の導光体に比べて、比較的薄くなる。そのため、このような導光体を搭載するバックライトユニットも比較的薄くなる。
【００４８】
また、上側に平面図と下側に側面図とを併記するとともに、導光体２１内部での行き交う光をハッチングで示す図５に示すように、同じ光束幅Ｐの光を得ようとして、四角錐状の錐体部分を含む導光体２１が用いられる場合（図５の左図参照）と、直方体の導光体２１０が用いられる場合（図５の右図参照）とを比べてみる。すると、導光体２１の厚みＨ１のほうが、導光体２１０の厚みＨ２に比べて厚みが薄くなる（なお、便宜上、図５では１個のＬＥＤ１１Ｒだけを図示）。
【００４９】
つまり、このような錐体部分を含む導光体２１を搭載するバックライトユニット５９は、底面２１Ｂから進行してくる光を、斜面２１Ｓを用いることで、ＬＥＤ１１に対して広がるように全反射進行させて導光体２１内部で行き交わせ、光を比較的高い度合いで混ぜ合わせる。そのため、バックライトユニット５９から出射する光に色ムラが生じにくくなる。さらに、導光体２１の厚みは比較的薄くなるので、バックライトユニット５９の厚みが薄くなり、ひいては、液晶表示装置６９の厚みも薄くなる。
【００５０】
なお、ＬＥＤ１１が導光体２１における底面２１Ｂの隅に位置すると、ＬＥＤ１１から導光体２１の頂点２１Ｔに至るまでの距離が比較的長くなり、それに応じて、斜面２１Ｓに到達する光のうち、導光体２１の臨界角を超える入射角をもつ光が増加する。そのため、斜面２１Ｓにて全反射する光量が増加し、導光体２１内部にて、光が混合しやすくなる。
【００５１】
ところで、図１〜図４でのバックライトユニット５９では、導光体２１の底面２１Ｂは四角形状（多角形状）で、斜面２１Ｓが三角形状となっているので、その導光体２１は四角錐状の錐体部分を含むことになっていた。しかし、導光体２１の形状は、これに限定されるものではない。
【００５２】
例えば、図６および図７に示すように、三角錐状の錐体部分を含む導光体２１であってもかまわない（なお、図６は図１と同じ図示の仕方であり、図７は図２と同じ図示の仕方である）。
【００５３】
このような導光体２１の場合、三角形状の底面２１Ｂの隅毎に１個のＬＥＤ１１が位置することで、１個の導光体２１に対して互いに異なる３個のＬＥＤ１１が対応する。そして、３個のＬＥＤ１１のうち、１個はＬＥＤ１１Ｒ、１個はＬＥＤ１１Ｇ、１個はＬＥＤ１１Ｂであるとよい。
【００５４】
このようになっていると、図７に示すように例えば、Ｘ方向にてＬＥＤ１１Ｒに重なる２つの斜面２１Ｓｅ・２１Ｓｆに沿って、ＬＥＤ１１Ｒの光は、そのＬＥＤ１１Ｒに隣り合うＬＥＤ１１Ｇ・ＬＥＤ１１Ｂに向かうとともに、頂点２１Ｔにも向かう。また、Ｘ方向にてＬＥＤ１１Ｇに重なる２つの斜面２１Ｓｆ・２１Ｓｇに沿って、ＬＥＤ１１Ｇの光は、そのＬＥＤ１１Ｇに隣り合うＬＥＤ１１Ｂ・ＬＥＤ１１Ｒに向かうとともに、頂点２１Ｔにも向かう。また、Ｘ方向にてＬＥＤ１１Ｂに重なる２つの斜面２１Ｓｇ・２１Ｓｅに沿って、ＬＥＤ１１Ｂの光は、そのＬＥＤ１１Ｂに隣り合うＬＥＤ１１Ｒ・ＬＥＤ１１Ｂに向かうとともに、頂点２１Ｔにも向かう。
【００５５】
つまり、三角錐状のような錐体部分を含む導光体２１であっても、底面２１Ｂにて散らばる箇所（例えば、三角形状の底面２１Ｂの隅）に対応してＬＥＤ１１が位置し、そのＬＥＤ１１からの光が底面２１Ｂを通じて入射すると、その光は、斜面２１Ｓと底面２１Ｂとの間での多重反射および異なる斜面２１Ｓ同士の間での多重反射で、混ざり合う。
【００５６】
そのため、斜面２１Ｓを用いて伝播することで、ＬＥＤ１１を中心にして拡散することになる３色（赤色、緑色、青色）は、導光体２１の内部で比較的高い度合いで混色して白色光となり、外部に出射する。その上、このようにして白色光を出射する導光体２１では、ＬＥＤ１１の光の拡散は、底面２１Ｂに対して傾斜する斜面２１Ｓを用いているために、導光体２１の厚みは比較的薄くてよい。
【００５７】
つまり、三角錐状の錐体部分を含む導光体２１を含むバックライトユニット５９であっても、四角錐状の錐体部分を含む導光体２１を含むバックライトユニット５９同様に、底面２１Ｂから進行してくる光を斜面２１Ｓを用いることで、ＬＥＤ１１に対して広がるように反射進行させる。その結果、このバックライトユニット５９でも、光が効率よく混ざり、出射する光に色ムラが生じにくくなる。
【００５８】
また、このバックライトユニット５９であっても、導光体２１の厚みは比較的薄くなるので、バックライトユニット５９の厚みが薄くなり、ひいては、液晶表示装置６９の厚みも薄くなる。
【００５９】
［その他の実施の形態］
なお、本発明は上記の実施の形態に限定されず、本発明の趣旨を逸脱しない範囲で、種々の変更が可能である。
【００６０】
例えば、導光体２１の底面２１Ｂに到達した光を種々方向に広げるべく、その底面２１Ｂにて、ＬＥＤ１１の面する部分以外の残部分には、光散乱加工が施されると望ましい。例えば、図８Ａおよび図８Ｂに示すように、光散乱加工として、底面２１ＢにてＬＥＤ１１の面する部分以外の残部分が凹凸面２５になっていてもよい。ただし、これに限らず、光散乱加工として、ドット印刷が施されてもかまわない。
【００６１】
また、このような底面２１Ｂへの光散乱加工に限らず、導光体２１の材料に、光散乱粒子が含まれてもよい。ただし、光散乱加工が底面２１Ｂに施されるとともに、光散乱粒子が導光体２１の材料に含まれていると、より確実に光が散乱するために望ましいといえる。
【００６２】
なお、以上では、四角錐状および三角錐状の錐体部分を含む導光体２１を例に挙げて説明したが、導光体の形状は、これに限定されるものではない。例えば、底面２１Ｂを五角以上の多角形状にした錐体部分を含む導光体２１であってもかまわない。また、錐体状に限らず錐体台の部分を含む導光体であってもかまわない。
【００６３】
要は、底面２１Ｂと、その底面２１Ｂに対して立ち上がる側面とが傾斜する関係にあればよい（すなわち、側面２１Ｓが底面２１Ｂに対して斜面２１Ｓになっていればよい）。このようになっていれば、底面２１Ｂから入射してくる光が斜面２１Ｓによって種々方向に反射進行しやすくなる。
【００６４】
特に、錐体部分を含む導光体２１では、その導光体２１内部における底面２１Ｂと斜面２１Ｓとの成す角度が鋭角になり、底面２１Ｂから進行し斜面２１Ｓに到達する光の入射角が比較的大きくなりやすい。そのため、斜面２１Ｓにて光が全反射しやすくなり、その全反射した光は導光体２１内部にて行き交う。そのため、ＬＥＤ１１の発光色が異なっていると、その光は混色しやすくなる。
【００６５】
また、導光体２１の底面２１Ｂに受光される光を発する光源は、ＬＥＤ（点状光源）１１に限られるものではない。例えば、蛍光管等（線状光源）であってもかまわない。また、光源の色も、赤色、緑色、および青色の光の三原色に限定されるものではない。例えば、混色させると白色となる補色関係の発光色のＬＥＤであってもかまわない。
【図面の簡単な説明】
【００６６】
【図１】は、図３の一部を抽出して１個の導光体とその導光体に対応する４個のＬＥＤを示す斜視図である。
【図２】は、１個の導光体の平面図とこの導光体における４個のＬＥＤからの光を導光体の側面から示す光路図とを併記した２面図である。図である。
【図３】は、図８に示される液晶表示装置にて、導光ユニットおよびＬＥＤモジュールを拡大した部分拡大図である。
【図４】は、導光ユニットの頂点側からみた、導光ユニットおよびＬＥＤモジュールの平面図である。
【図５】は、四角錐状の錐体部分を含む導光体と直方体の導光体とを比較した比較図である。
【図６】は、図１の別例を示す斜視図である。
【図７】は、図２の別例を示す２面図である。
【図８】では、（Ａ）は四角錐状の錐体部分を含む導光体の底面の一部に凹凸面が形成されていることを示す平面図および側面図を含む２面図であり、（Ｂ）は三角錐状の錐体部分を含む導光体の底面の一部に凹凸面が形成されていることを示す平面図および側面図を含む２面図である。
【図９】は、液晶表示装置の分解斜視図である。
【図１０】は、図９の液晶表示装置のＡ−Ａ’線矢視断面図である。
【図１１】は、従来のバックライトユニットでのＬＥＤの光を示す平面図および側面図の２面図である。
【符号の説明】
【００６７】
１１        ＬＥＤ（光源、発光素子）
１１Ｒ      赤色発光のＬＥＤ
１１Ｇ      緑色発光のＬＥＤ
１１Ｂ      青色発光のＬＥＤ
ＧＲ        ＬＥＤの集まった群（光源群）
ＵＴ        導光ユニット
２１        導光体
２１Ｂ      導光体の底面（受光面）
２１Ｓ      導光体の側面（出射面）
２１Ｔ      導光体の頂点
５１        実装基板
５１Ｕ      実装面
ＭＪ        ＬＥＤモジュール
４９        液晶表示パネル
５９        バックライトユニット
６９        液晶表示装置
【図１】
2010003598.tif 000003
【図２】
2010003598.tif 000004
【図３】
2010003598.tif 000005
【図４】
2010003598.tif 000006
【図５】
2010003598.tif 000007
【図６】
2010003598.tif 000008
【図７】
2010003598.tif 000009
【図８】
2010003598.tif 000010
【図９】
2010003598.tif 000011
【図１０】
2010003598.tif 000012
【図１１】
2010003598.tif 000013